(57)【特許請求の範囲】
【請求項１】
化学繊維からなる植毛を束ねた毛束の基端部を集結部にて固定し、該集結部と把持杆先端部を連結したほうきであって、毛束の外側に位置する植毛部を、外部に向けて拡開させることにより、毛束の植毛部を中央植毛部と拡開植毛部とで構成し、中央植毛部と拡開植毛部間に両植毛部を区分する隙間を形成したことを特徴とするほうき。
【請求項２】
化学繊維からなる植毛を横長の板状に束ねた毛束の基端部を集結部にて固定し、該集結部と把持杆先端部を連結したほうきであって、毛束の長辺の外側に位置する植毛部を、外部に向けて拡開させることにより、毛束の植毛部を中央植毛部と拡開植毛部とで構成し、中央植毛部と拡開植毛部間に両植毛部を区分する隙間を形成したことを特徴とするほうき。
【請求項３】
拡開植毛部の植毛の拡開角度を不規則に設定した請求項２記載のほうき。
【請求項４】
植毛を横長の板状に束ねた毛束の両側に位置する３〜５列の植毛部を拡開させて、拡開植毛部を形成した請求項２又は３記載のほうき。
【請求項５】
請求項１〜４のいずれか１項に記載のほうきにおける毛束の製造方法であって、化学繊維からなる植毛を束ねた毛束の基端部を、金型内に位置させ、合成樹脂にてインサート成形により集結部を成形する場合において、毛束の両外側に位置する拡開植毛部の根元の部分に、前記金型内で型締圧力により、プレスをかけて毛束の外側に位置する植毛部を、外部に向けて拡開させることを特徴とする毛束の製造方法。
【発明の詳細な説明】
【０００１】
【発明の属する技術分野】
本発明は、埃が飛散するのをおさえて掃除を行うことができるほうきに関する。
【０００２】
【従来の技術】
従来のほうきとしては、ナイロン等の化学繊維を素材とした植毛を横長の板状に束ねた毛束の基端部を集結部にて固定し、該集結部と把持杆先端を連結したものがある。そして、従来のほうきを用いて清掃する場合、把持杆を手で握り、化学繊維でできた毛束の先端部を地面に押し当ててしならせ、毛束の弾性力にて元の状態に復帰させることにより、ゴミや埃を掃き出し、ゴミや埃を集めて清掃を行うことができる。
【０００３】
【発明が解決しようとする課題】
しかし、従来のほうきであると、ナイロン等の化学繊維を用いた植毛を、密に集束させた毛束を用いているため、毛束の先端部を地面に押し当ててしならせ、毛束の弾性力にて、ゴミや埃を掃き出し、ゴミや埃を集める時に、勢い余って、埃を飛散させてしまうといった問題点があった。
【０００４】
そこで、本発明は、ゴミや埃が飛散するのをおさえてスムーズに掃除を行うことができるほうきを提供しようとするものである。
【０００５】
【課題を解決するための手段】
本発明者は前述の課題解決のために鋭意研究を行った結果、化学繊維からなる植毛を束ねた毛束の基端部を集結部にて固定し、該集結部と把持杆先端部を連結したほうきであって、毛束の外側に位置する植毛部を、外部に向けて拡開させることにより、毛束の植毛部を中央植毛部と拡開植毛部とで構成し、中央植毛部と拡開植毛部間に両植毛部を区分する隙間を形成したことを特徴とするほうきを開発し、本発明を提供するものである。
【０００６】
また、化学繊維からなる植毛を横長の板状に束ねた毛束の基端部を集結部にて固定し、該集結部と把持杆先端部を連結したほうきであって、毛束の長辺の外側に位置する植毛部を、外部に向けて拡開させることにより、毛束の植毛部を中央植毛部と拡開植毛部とで構成し、中央植毛部と拡開植毛部間に両植毛部を区分する隙間を形成したことを特徴とするほうきをも提供しようとするものである。
【０００７】
更に、拡開植毛部の植毛の拡開角度を不規則に設定する方が好ましい。
【０００８】
また、植毛を横長の板状に束ねた毛束の両側に位置する３〜５列の植毛部を拡開させて、拡開植毛部を形成する方が好ましい。
【０００９】
本発明に係る毛束製造方法は、前記ほうきにおける毛束製造方法であって、化学繊維からなる植毛を束ねた毛束の基端部を、金型内に位置させ、合成樹脂にてインサート成形により集結部を成形する場合において、毛束の両外側に位置する拡開植毛部の根元の部分に、前記金型内で型締圧力により、プレスをかけて毛束の外側に位置する植毛部を、外部に向けて拡開させるものである。
【００１０】
【発明の実施の形態】
以下、添付図面を参照しながら、本発明のほうきを具体化した実施の形態について説明する。
図１〜図４は、代表的実施の形態のほうきを示すものである。
ほうきＡは、図１〜図４に示すように、所定の幅を有するように植毛１を横方向に並べ、横長の板状に配設した毛束２の基端部を、板状の集結部３にて固定し、該集結部３と把持杆４先端を枢着して回動自在に連結したものであり、特に図例のものでは、ナイロン、ポリプロピレン、塩化ビニール、ポリエステル等の化学繊維を素材とした多数の略同じ長さの植毛１を束ねて仮止めした毛束２の基端部を、金型内に位置させ、合成樹脂にて一体成形した集結部３にて固定したものである。植毛１は、直線状のもの、波形状のものを用いることができる。
【００１１】
そして、毛束２は、長辺の両外側に位置する植毛部を、根元から外方に向けて拡開させることにより、同じ長さの植毛１を用いた中央植毛部２ａと、拡開させた拡開植毛部２ｂ，２ｂとで構成されている。この拡開植毛部２ｂは、後述効果を得るために、植毛１の長さを、不揃いに設定している。但し、植毛１の長さを同じ長さに設定することも可能である。
図例の毛束２では、植毛１の長さを約５．５cm、毛束２の厚みを約０．５cm、横幅を約３１cmに設定し、毛束２の長辺の両外側に位置する３〜５列の外側の植毛部を、中央植毛部２ａの端面から約３〜７mmの間に位置するように、植毛先端が不規則に外方に開くように植毛部の基端部を拡開させている。即ち、植毛１が拡開する角度を、一定角度とせずに、不規則な角度で拡開させているのである。尚、図例のほうきＡでは、根元から折り曲げて拡開しているが、植毛１の途中を折り曲げて拡開させたものであってもよい。
【００１２】
更に、毛束２の両外側の植毛部を拡開させて、中央植毛部２ａと拡開植毛部２ｂを形成するためには、毛束２の両側に薄い板を挿入し、外側に倒すことにより、両外側に位置する植毛部を、外側に折り曲げることができる。更に、毛束２の両外側に位置する植毛部の根元部分に熱湯をかけて熱変形させることにより、外側に拡開させることができる。また、毛束２の基端部を、金型内に位置させ、合成樹脂にてインサート成形する場合、毛束２の両外側に位置する拡開植毛部２ｂの根元の部分に、金型内で型締圧力により、プレスをかけて植毛を外方に開くことができる。
【００１３】
尚、上述したほうきＡでは、毛束２の長辺の両外側に位置する３〜５列の外側の植毛部を、外方に拡開させて拡開植毛部２ｂとしているが、１又は２列の外側の植毛部のみ、或いは６列以上の植毛部を拡開させたものであってもよい。
更に、毛束２の植毛の素材には、化学繊維に限らず、植物繊維、動物繊維、金属線等を用いることも可能であり、それに合わせて集結部３を合成樹脂に限らず、木やステンレス等の金属で製造することも可能である。
【００１４】
また、図例のほうきＡでは、毛束２の両外側に拡開植毛部２ｂを設けているが、ゴミや埃を掃く方の面にあたる側のみ、拡開植毛部２ｂを設けたものであってもよく、或いは、両方の短辺の面も含めて、全ての外側の植毛部を、外方に拡開させたものであってもよい。
【００１５】
更に付言すると、図例のほうきＡでは、正面視が横長の長方形状の毛束２を用いているが、特に限定されるものでもなく、略正方形状の毛束２であってもよく、また、特に図示はしないが、略円柱状の毛束２或いは略四角柱等の多角柱の毛束２を用い、外側の植毛部を外方に拡開させたものであってもよい。
【００１６】
本実施の形態のほうきＡを用いて掃除する場合、図５（ａ）のように、把持杆４を手で握り、毛束２の先端部を地面に押し当てて毛束２を斜めにしならせると、中央植毛部２ａがはねる前に、弾性力の弱い拡開植毛部２ｂがゴミや埃が飛散するのをおさえながら、ゆっくりと外側にはね、図５（ｂ）のように、中央植毛部２ａと拡開植毛部２ｂの間にゴミや埃を抱えこみ、更に毛束２を斜めにしならせると、中央植毛部２ａと拡開植毛部２ｂの間が閉じられるようにして、中央植毛部２ａが外方にはね、地面のゴミや埃を掃き出し、ゴミや埃を集めて清掃を行うことができる。従って、本実施の形態のほうきＡによれば、毛束２の先端部を地面に押し当てて毛束２を斜めにしならせると、中央植毛部２ａより先に、弾性力の弱い拡開植毛部２ｂが外側にはね、更に中央植毛部２ａと拡開植毛部２ｂの間にゴミや埃を抱えこみ、更に毛束２を斜めにしならせると、中央植毛部２ａと拡開植毛部２ｂの間が閉じられるようにして、中央植毛部２ａが外方にはね、地面のゴミや埃を掻い出し、ゴミや埃を集めることができるので、勢いよくゴミや埃を飛散させることがなく、スムーズに清掃を行うことができる。特に、上述したほうきＡでは、拡開植毛部２ｂ，２ｂにおける植毛１の拡開角度を、不規則に設定しているので、拡開植毛部２ｂが外側にはねても、弾性力が分散され、よりゴミや埃が飛散されにいのである。
【００１７】
【発明の効果】
以上の記載より明らかなように、次に記載する作用及び効果を奏する。
請求項１のほうき及び請求項２のほうきによれば、把持杆を手で握り、毛束の先端部を地面に押し当てて毛束を斜めにしならせると、中央植毛部がはねる前に、弾性力の弱い拡開植毛部がゴミや埃を飛散させずにゆっくりと外側にはね、中央植毛部と拡開植毛部の間にゴミや埃を抱えこみ、更に毛束を斜めにしならせると、中央植毛部と拡開植毛部の間が閉じられるようにして、中央植毛部が外方にはね、地面のゴミや埃を掃き出し、ゴミや埃を集めて清掃を行うことができる。従って、勢いよくゴミや埃を飛散させることがなく、スムーズに清掃を行うことができる。特に、請求項２のほうきによれば、横長の毛束全体が強い弾性力を有するので、拡開植毛部を設けることにより、弾性力の弱めることができ、より効果的である。
【００１８】
請求項３のほうきによれば、拡開植毛部における植毛の拡開角度を、不規則に設定しているので、拡開植毛部が外側にはねても、弾性力が分散され、よりゴミや埃を飛散されにいのである。
【００１９】
請求項４のほうき及び請求項５のほうきによれば、植毛を横長の板状に束ねた毛束の両側に位置する３〜５列の植毛部を拡開させて、拡開植毛部を形成すれば、拡開植毛部の部分を最小限にでき、しかもゴミや埃を飛散させる効果に優れたものとなり、また化学繊維製の植毛を用いたほうきであれば、より植毛部の弾性力が強く、ゴミや埃の飛散が問題となるので、拡開植毛部がより効果を発揮することとなる。
【図面の簡単な説明】
【図１】  本発明に係る代表的実施例の形態のほうきの要部を示す斜視図
【図２】  同じくほうきの要部を示す正面図
【図３】  ほうきの要部を示す拡大縦断面図
【図４】  ほうきの要部を示す拡大底面図
【図５】  ほうきの使用手順を示す説明図
【符号の説明】
Ａ  ほうき
１  植毛                                  ２  毛束
３  集結部                                ４  把持杆
【図１】
0003817824.tif 000002
【図２】
0003817824.tif 000003
【図３】
0003817824.tif 000004
【図４】
0003817824.tif 000005
【図５】
0003817824.tif 000006